【手続補正書】
【提出日】平成26年5月2日(2014.5.2)
【手続補正１】
【補正対象書類名】明細書
【補正対象項目名】０１４７
【補正方法】変更
【補正の内容】
【０１４７】
本発明の様々な実施形態が説明されている。これらの実施形態、及び他の実施形態は、以下の特許請求の範囲内に含まれる。本発明の実施態様の一部を以下の項目［１］−［２３］に記載する。
［１］
多層フィルムを製造するためのアセンブリであって、前記アセンブリは、
第１の１次パケットを受け取るように構成される第１フローチャネルであって、前記第１の１次パケットが、第１の複数の高分子層を含む、第１フローチャネルと、
第２の１次パケットを受け取るように構成される第２フローチャネルであって、前記第２の１次パケットが、第２の複数の高分子層を含む、第２フローチャネルと、を含み、
前記第１チャネル及び前記第２チャネルが、前記第１の１次パケット及び前記第２の１次パケットの少なくとも一方を、ウェブ交差方向で延展して、前記第１の１次パケット及び前記第２の１次パケットの前記少なくとも一方を、前記ウェブ交差方向で延展した後、前記第１の１次パケットと前記第２の１次パケットとを結合して、前記第１の複数の高分子層及び前記第２の複数の高分子層を含む、多層フローストリームを形成するように構成される、アセンブリ。
［２］
前記第１チャネルが、前記第１の１次パケットを、前記ウェブ交差方向で延展するように構成される、第１延展マニホールドを含み、前記第２チャネルが、前記第２の１次パケットを、前記ウェブ交差方向で延展するように構成される、第２延展マニホールドを含む、項目１に記載のアセンブリ。
［３］
前記第１延展マニホールド及び前記第２延展マニホールドを含む押出ダイを更に含む、項目２に記載のアセンブリ。
［４］
追加層のフローを受け取るように構成される第３フローチャネルを更に含み、前記第３チャネルが、前記追加層のフローと前記第１パケット及び前記第２パケットとを結合して、前記多層フローストリームを形成するように構成される、項目１に記載のアセンブリ。
［５］
前記追加層のフローが、前記多層フローストリーム内で、前記第１の１次パケットと前記第２の１次パケットとの間にコア層を形成するための、コア層のフローを含む、項目４に記載のアセンブリ。
［６］
前記追加層のフローが、前記第１パケット又は前記第２パケットの少なくとも一方に隣接する、少なくとも１つのスキン層を形成するための、少なくとも１つのスキン層のフローを含む、項目４に記載のアセンブリ。
［７］
第３フローチャネルが、前記第１パケット又は前記第２パケットの少なくとも一方の、前記ウェブ交差方向での前記延展の前に、前記追加層のフローと前記第１パケット又は第２パケットの少なくとも一方とを結合するように構成される、項目４に記載のアセンブリ。
［８］
前記第３チャネルが、前記追加層のフローを、前記第１パケット及び前記第２パケットと結合される前に、前記ウェブ交差方向で延展するように構成される、項目４に記載のアセンブリ。
［９］
第１ウェブ交差幅を有する前記第１の１次パケットを作り出すように構成される、第１パケット創出装置、及び第２ウェブ交差幅を有する前記第２の１次パケットを作り出すための、第２パケット創出装置を更に含み、前記第１フローチャネルが、前記第１ウェブ交差幅を有する前記第１の１次パケットを受け取って、前記第１ウェブ交差幅よりも大きい第３ウェブ交差幅へと、前記第１の１次パケットを延展するように構成され、前記第２フローチャネルが、前記第２ウェブ交差幅を有する前記第２の１次パケットを受け取って、前記第２ウェブ交差幅よりも大きい第４ウェブ交差幅へと、前記第２の１次パケットを延展するように構成される、項目１に記載のアセンブリ。
［１０］
前記第１パケット及び前記第２パケットが、互いに結合される際に、実質的に同じウェブ交差幅を有する、項目１に記載のアセンブリ。
［１１］
前記多層フローストリームが、多層光学フィルムへと製造される、項目１に記載のアセンブリ。
［１２］
第１フローチャネルを介して、第１の１次パケットを受け取ることであって、前記第１の１次パケットが、第１の複数の高分子層を含むことと、
第２フローチャネルを介して、第２の１次パケットを受け取ることであって、前記第２パケットが、第２の複数の高分子層を含むことと、
前記第１の１次パケット及び第２の１次パケットの少なくとも一方を、ウェブ交差方向で延展することと、
前記第１パケット及び第２パケットの少なくとも一方を、前記ウェブ交差方向で延展した後に、前記第１の１次パケットと第２の１次パケットとを互いに結合して、前記第１の複数の高分子層及び前記第２の複数の高分子層を含む、多層フローを形成することと、を含む、方法。
［１３］
前記第１チャネルが、前記第１の１次パケットを、前記ウェブ交差方向で延展するように構成される、第１延展マニホールドを含み、前記第２チャネルが、前記第２の１次パケットを、前記ウェブ交差方向で延展するように構成される、第２延展マニホールドを含む、項目１２に記載の方法。
［１４］
前記第１延展マニホールド及び前記第２延展マニホールドが、前記第１の１次パケットと前記第２の１次パケットとを結合するように構成される、押出ダイによって形成される、項目１３に記載の方法。
［１５］
第３フローチャネルを介して、追加層のフローを受け取ることと、
前記追加層のフローと前記第１の１次パケット及び前記第２の１次パケットとを結合して、前記多層フローストリームを形成することと、を更に含む、項目１２に記載の方法。
［１６］
前記追加層のフローが、前記多層フローストリーム内で、前記第１の１次パケットと前記第２の１次パケットとの間にコア層を形成するための、コア層のフローを含む、項目１５に記載の方法。
［１７］
前記追加層のフローが、前記多層フローストリーム内で、前記第１パケット又は前記第２パケットの少なくとも一方に隣接する、少なくとも１つのスキン層を形成するための、少なくとも１つのスキン層のフローを含む、項目１５に記載の方法。
［１８］
前記少なくとも一方の第１の１次パケット又は第２の１次パケットを、前記ウェブ交差方向で延展する前に、前記追加層のフローと前記第１の１次パケット又は第２の１次パケットの少なくとも一方とを結合することを更に含む、項目１５に記載の方法。
［１９］
前記追加層のフローと前記第１の１次パケット及び前記第２の１次パケットとを結合する前に、前記追加層のフローを、前記ウェブ交差方向で延展することを更に含む、項目１５に記載の方法。
［２０］
第１パケット生成装置を介して、前記第１の１次パケットを作り出すことであって、前記第１の１次パケットが、第１ウェブ交差幅を有することと、
第２パケット創出装置を介して、前記第２の１次パケットを作り出すことであって、前記第２パケットが、第２ウェブ交差幅を有することと、を更に含み、
前記第１フローチャネルを介して、前記第１の１次パケットを受け取ることが、前記第１フローチャネルを介して、前記第１ウェブ交差幅を有する前記第１パケットを受け取ることを含み、前記第２フローチャネルを介して、前記第２の１次パケットを受け取ることが、前記第２フローチャネルを介して、前記第２ウェブ交差幅を有する前記第２パケットを受け取ることを含み、
前記第１の１次パケット及び第２の１次パケットの前記少なくとも一方を、ウェブ交差方向で延展することが、前記第１ウェブ交差幅よりも大きい第３ウェブ交差幅へと、前記第１の１次パケットを延展することと、前記第２ウェブ交差幅よりも大きい第４ウェブ交差幅へと、前記第２の１次パケットを延展することと、を含む、項目１２に記載の方法。
［２１］
前記第１パケット及び前記第２パケットが、互いに結合される際に、実質的に同じウェブ交差幅を有する、項目１２に記載の方法。
［２２］
前記多層フローストリームを、多層光学フィルムへと製造することを更に含む、項目１２に記載の方法。
［２３］
多層フィルムを製造するためのアセンブリであって、前記アセンブリは、
第１フローチャネルを介して、第１の１次パケットを受け取るための手段であって、前記第１の１次パケットが、第１の複数の高分子層を含む、手段と、
第２フローチャネルを介して、第２の１次パケットを受け取るための手段であって、前記第２パケットが、第２の複数の高分子層を含む、手段と、
前記第１の１次パケット及び第２の１次パケットの少なくとも一方を、ウェブ交差方向で延展するための手段と、
前記第１パケット及び第２パケットの少なくとも一方を、前記ウェブ交差方向で延展した後に、前記第１の１次パケットと第２の１次パケットとを互いに結合して、前記第１の複数の高分子層及び前記第２の複数の高分子層を含む、多層フローを形成するための手段と、を含む、アセンブリ。
【手続補正２】
【補正対象書類名】特許請求の範囲
【補正対象項目名】全文
【補正方法】変更
【補正の内容】
【特許請求の範囲】
【請求項１】
多層フィルムを製造するためのアセンブリであって、前記アセンブリは、
第１の１次パケットを受け取るように構成される第１フローチャネルであって、前記第１の１次パケットが、第１の複数の高分子層を含む、第１フローチャネルと、
第２の１次パケットを受け取るように構成される第２フローチャネルであって、前記第２の１次パケットが、第２の複数の高分子層を含む、第２フローチャネルと、を含み、
前記第１チャネル及び前記第２チャネルが、前記第１の１次パケット及び前記第２の１次パケットの少なくとも一方を、ウェブ交差方向で延展して、前記第１の１次パケット及び前記第２の１次パケットの前記少なくとも一方を、前記ウェブ交差方向で延展した後、前記第１の１次パケットと前記第２の１次パケットとを結合して、前記第１の複数の高分子層及び前記第２の複数の高分子層を含む、多層フローストリームを形成するように構成される、アセンブリ。
【請求項２】
第１フローチャネルを介して、第１の１次パケットを受け取ることであって、前記第１の１次パケットが、第１の複数の高分子層を含むことと、
第２フローチャネルを介して、第２の１次パケットを受け取ることであって、前記第２の１次パケットが、第２の複数の高分子層を含むことと、
前記第１の１次パケット及び第２の１次パケットの少なくとも一方を、ウェブ交差方向で延展することと、
前記第１の１次パケット及び第２の１次パケットの少なくとも一方を、前記ウェブ交差方向で延展した後に、前記第１の１次パケットと第２の１次パケットとを互いに結合して、前記第１の複数の高分子層及び前記第２の複数の高分子層を含む、多層フローを形成することと、を含む、方法。
【請求項３】
多層フィルムを製造するためのアセンブリであって、前記アセンブリは、
第１フローチャネルを介して、第１の１次パケットを受け取るための手段であって、前記第１の１次パケットが、第１の複数の高分子層を含む、手段と、
第２フローチャネルを介して、第２の１次パケットを受け取るための手段であって、前記第２の１次パケットが、第２の複数の高分子層を含む、手段と、
前記第１の１次パケット及び第２の１次パケットの少なくとも一方を、ウェブ交差方向で延展するための手段と、
前記第１の１次パケット及び第２の１次パケットの少なくとも一方を、前記ウェブ交差方向で延展した後に、前記第１の１次パケットと第２の１次パケットとを互いに結合して、前記第１の複数の高分子層及び前記第２の複数の高分子層を含む、多層フローを形成するための手段と、を含む、アセンブリ。